(57)【要約】【課題】比較的簡易な構成でありながら、手洗鉢上昇時に手洗吐水管から吐水が行われても、手洗鉢流出水が確実にロータンク内に流れ込む手洗付ロータンク設備を提供する。【解決手段】手洗鉢４は、カバー前半体３Ｆの上部に連結されており、該カバー前半体３Ｆと一体に上下動する。手洗鉢４の底部中央付近には、手洗吐水管５から吐出された水の流出口９が設けられている。手洗鉢４の底部下面からは、流出口９に連なる水の落下案内部材１０が下方へ突設されている。ロータンク２の上部には、蓋１１が装着されている。蓋１１の中央付近には、案内部材１０から流れ落ちてきた水を受け止めてロータンク２内に流し落とすための水受け部材１２が設けられている。案内部材１０は、手洗鉢４が上昇限まで移動した場合でも、その下端が、水の受入部１３を取り囲む壁状部１４の上縁の最低位部よりも下位となる高さに位置する。【選択図】図１
2006169840.tif 000002
【特許請求の範囲】
【請求項１】
便器洗浄水を貯えるロータンクと、
該ロータンクを覆うロータンクカバーと、
該ロータンクカバーの上部に設けられており、底部に水の流出口を有した手洗鉢と、
該流出口に連なる水の落下案内部材と、
該ロータンク上に設置されており、該案内部材から流れ落ちてきた水を受け止めて該ロータンク内に流し落すための水受け部材と
を備えてなり、該ロータンクカバーの少なくとも前部と手洗鉢とが上下動可能な手洗付ロータンク設備において、
前記水受け部材には、前記案内部材が入り込んでいる受入部が設けられており、
前記手洗鉢が上昇したときに、前記案内部材の下端が該受入部の上端の最低位箇所よりも下位に位置することを特徴とする手洗付ロータンク設備。
【請求項２】
請求項１において、該受入部は壁状部によって囲まれており、
前記手洗鉢が上昇したときに、前記案内部材の下端が該壁状部の上端の最低位箇所よりも下位に位置することを特徴とする手洗付ロータンク設備。
【請求項３】
請求項１又は２において、前記受入部は、比較的高位の周囲部と、該周囲部から凹陥する凹部とを有しており、
前記案内部材は該凹部内に差し込まれており、且つ前記手洗鉢が上昇したときに該案内部材の下端が該凹部内に位置することを特徴とする手洗付ロータンク設備。
【発明の詳細な説明】
【技術分野】
【０００１】
本発明は、ロータンクカバーの上部に手洗鉢が設けられている手洗付ロータンク設備に係り、特にロータンクカバーの少なくとも前部及び手洗鉢が昇降可能となっている手洗付ロータンク設備に関する。
【背景技術】
【０００２】
洋風便器の後部上面に便器洗浄水を貯留するためのロータンクを設置し、このロータンクをロータンクカバーで覆った洋風便器設備が広く用いられている。このロータンクカバーの上部に手洗鉢を設けることも周知である。
【０００３】
ロータンクカバーの手洗鉢の流出口からロータンク内に落下した水が跳ねる騒音を小さくするためにロータンクカバーに蓋を設けると共に、この蓋に手洗鉢から落下してきた水を受け止めてロータンク内壁に沿って流し落すよう構成した手洗付ロータンク設備が特開平１１−３２４０５８号に記載されている。
【０００４】
ロータンクカバーを昇降可能とし、ロータンク前部と洋風便器上面との間を入念に清掃できるようにした手洗付ロータンク設備も周知であり（例えば特開２００３−１５５７６６号）、既に広く市販されている。
【０００５】
この手洗鉢が上昇したときに手洗吐水管から吐水が行われると、手洗鉢の流出口から落下した水がロータンク外に飛散するおそれがある。
【０００６】
上記特開２００３−１５５７６６号では、ロータンクカバーが上昇したことをセンサで検知し、フラッシュ動作（ロータンクから便器へ洗浄水を流すこと）を行わないようにすることが記載されている。フラッシュ動作が行わなければ、ロータンクのボールタップも開栓しないから、手洗吐水管から吐水しない。
【特許文献１】特開平１１−３２４０５８号
【特許文献２】特開２００３−１５５７６６号
【発明の開示】
【発明が解決しようとする課題】
【０００７】
上記特開２００３−１５５７６６号のように、ロータンクカバーの上昇を検知してフラッシュ動作を行わないようにし、この結果として手洗吐水管からの吐水を行わないように構成することは、センサなどが必要でありコスト高である。
【０００８】
本発明は、比較的簡易な構成でありながら、手洗鉢上昇時に手洗吐水管から吐水が行われても、手洗鉢流出水が確実にロータンク内に流れ込む手洗付ロータンク設備を提供することを目的とする。
【課題を解決するための手段】
【０００９】
本発明（請求項１）の手洗付ロータンク設備は、便器洗浄水を貯えるロータンクと、該ロータンクを覆うロータンクカバーと、該ロータンクカバーの上部に設けられており、底部に水の流出口を有した手洗鉢と、該流出口に連なる水の落下案内部材と、該ロータンク上に設置されており、該案内部材から流れ落ちてきた水を受け止めて該ロータンク内に流し落すための水受け部材とを備えてなり、該ロータンクカバーの少なくとも前部と手洗鉢とが上下動可能な手洗付ロータンク設備において、前記水受け部材には、前記案内部材が入り込んでいる受入部が設けられており、前記手洗鉢が上昇したときに、前記案内部材の下端が該受入部の上端の最低位箇所よりも下位に位置することを特徴とするものである。
【００１０】
請求項２の手洗付ロータンク設備は、請求項１において、該受入部は壁状部によって囲まれており、前記手洗鉢が上昇したときに、前記案内部材の下端が該壁状部の上端の最低位箇所よりも下位に位置することを特徴とするものである。
【００１１】
請求項３の手洗付ロータンク設備は、請求項１又は２において、前記受入部は、比較的高位の周囲部と、該周囲部から凹陥する凹部とを有しており、前記案内部材は該凹部内に差し込まれており、且つ前記手洗鉢が上昇したときに該案内部材の下端が該凹部内に位置することを特徴とするものである。
【発明の効果】
【００１２】
本発明の手洗付ロータンク設備は、手洗鉢が上昇しても手洗吐水管からの吐水が行われ得るよう構成されている。手洗鉢上昇時に手洗吐水管から吐水が行われると、水は手洗鉢流出口から案内部材を通って受入部に流れ込む。案内部材は、この受入部内に入り込んでおり、案内部材の下端は、該受入部の上端の最低位箇所よりも下位となっている。このため、案内部材から流出した水は、必ず受入部内に落下することになり、受入部外へ流出することが防止され、確実にロータンク内に流入する。
【００１３】
請求項２の手洗付ロータンク設備にあっては、受入部は、周囲が壁状部によって囲まれており、案内部材の下端は、該壁状部の上端の最低位箇所よりも下位となっている。このため、案内部材から流れ落ちて受入部の底部に当った水も、該受入部の外に飛び出しにくい。
【００１４】
請求項３の手洗付ロータンク設備にあっては、受入部に設けられた凹部に案内部材が差し込まれており、且つ手洗鉢上昇時においても案内部材の下端が凹部内に配置されている。このため、手洗鉢からの流出水はこの凹部内を通って確実にロータンクに流入する。
【発明を実施するための最良の形態】
【００１５】
以下に、図面を参照して本発明の実施の形態について説明する。
【００１６】
第１図は実施の形態に係る手洗付ロータンク設備の側面図であり、第２図はこの手洗付ロータンク設備の手洗鉢付近の縦断面図である。なお、第１図及び第２図において、それぞれ、（ａ）図はロータンクカバー非上昇時を示し、（ｂ）図はロータンクカバー上昇時を示している。第３図は第２図（ａ）のIII−III線に沿う断面図であり、第４図は第２図（ｂ）のIV−IV線に沿う断面図である。
【００１７】
第１図の通り、洋風便器１の後部上面にロータンク２と温水洗浄装置等の便器機器（図示略）とが設置され、これらを覆うようにロータンクカバー３が設置されている。このロータンクカバー３の上部に手洗鉢４が載設されている。また、ロータンクカバーの前面の下部には、便座５及び便蓋６が起倒方向回動可能に取り付けられている。該手洗鉢４の後縁部からは、該手洗鉢４内に手洗い水を吐出するための手洗吐水管７が立設されている。
【００１８】
該ロータンク２は、洋風便器１の後部上面上に固定設置されている。このロータンク２の底部には便器洗浄水放出用のフロート弁（図示略）が設けられており、上部には給水用のボールタップ（図示略）が設けられている。該ボールタップの吐水側は、該ロータンク２内への給水管（図示略）と、手洗鉢４への給水管８とに分岐している。該給水管８が手洗吐水管７に接続されている。この接続構造の詳細については後で述べる。
【００１９】
この実施の形態では、ロータンクカバー３は、カバー前半体３Ｆとカバー後半体３Ｒとに分割されている。第１図（ｂ）の通り、該カバー前半体３Ｆは、昇降装置（図示略）により洋風便器１の後部上面に対し昇降可能となっており、カバー後半体３Ｒは、洋風便器１の後部上面に対し昇降不能に固定設置されている。なお、本発明においては、この昇降装置の構成に特に制限はなく、例えば、シリンダ機構やバネ、あるいはモータ等を動力源としたものなど、種々の昇降装置を採用することができる。
【００２０】
手洗鉢４は、このカバー前半体３Ｆの上部に連結されており、該カバー前半体３Ｆと一体に上下動する。給水管８は、手洗吐水管７の後端側（上流側）に水密に且つ挿抜方向摺動可能に内嵌している。この給水管８の手洗吐水管７への差し込み深さは、手洗鉢４が下降限にあるときに、該手洗鉢４の上下動幅よりも大きなものとなっている。そのため、手洗鉢４が上昇限まで移動した場合でも給水管８が手洗吐水管７から抜けてしまうことがなく、常時給水管８から手洗吐水管７へ給水可能となっている。
【００２１】
なお、給水管８と手洗吐水管７との接続構造はこれに限定されるものではない。例えば、両者をフレキシブルパイプ等により接続してもよい。
【００２２】
手洗鉢４の底部中央付近には、この手洗吐水管７から吐出された水の流出口９が設けられている。また、手洗鉢４の底部下面からは、該流出口９に連なる水の落下案内部材１０が下方へ突設されている。この実施の形態では、該案内部材１０は、上端が該流出口９に連なったパイプよりなる。
【００２３】
ロータンク２の上部には、蓋１１が装着されている。この蓋１１には、該案内部材１０から流れ落ちてきた水を受け止めてロータンク２内に流し落とすための水受け部材１２が設けられている。該水受け部材１２は、案内部材１０から流れ落ちてきた水を受け入れる受入部１３と、該受入部を取り囲む壁状部１４とを有している。この実施の形態では、該受入部１３の中央付近（前記案内部材１０の真下付近）は、その周囲部から凹陥した凹部１５となっている。この凹部１５の側面（この実施の形態では前側面）に、ロータンク２内に通じる水の排出口１６が設けられている。
【００２４】
なお、この凹部１５の底部は、該排出口１６に向って下るように傾斜した斜面となっている。また、案内部材１０から流出してきた水がこの凹部１５の底部に落下したときにできるだけ上方へ飛散しないようにするために、該底部には、多数の山形の凸条（凹凸）が形成されている。
【００２５】
この実施の形態では、案内部材１０は、第２図（ａ）及び第３図に示すように、手洗鉢４が下降限にあるときにはこの凹部１５内に差し込まれている。また、この案内部材１０は、第２図（ｂ）及び第４図に示すように、手洗鉢４が上昇限まで移動した場合でも、その下端が依然として壁状部１４の上縁の最低位部よりも下位となる高さに位置する長さとなっている。
【００２６】
かかる構成の手洗付ロータンク設備においては、フラッシュ装置（図示略）をフラッシュ動作させると、ロータンク２のフロート弁が開弁してロータンク２内の貯留水が便器洗浄水として洋風便器１内に放出される。この放出によりロータンク２内の水位が下がると、ボールタップが開栓してロータンク２内に水が供給される。この際、該ボールタップからの水の一部が給水管８を介して手洗吐水管７に供給され、該手洗吐水管７から手洗鉢４内に手洗い水が吐水される。この手洗い水は、流出口９から案内部材１０を通って水受け部材１２の受入部１３に流れ落ちる。
【００２７】
この手洗付ロータンク設備にあっては、手洗鉢４（即ちカバー前半体３Ｆ）が下降限にある場合には、案内部材１０が凹部１５内に差し込まれている。そのため、この案内部材１０から流出した水は必ず該凹部１５内に落下することになり、水受け部材１２の外部への水の飛散や流出が確実に防止される。
【００２８】
また、手洗鉢４が上昇限にある場合でも、案内部材１０の下端は、受入部１３を取り囲む壁状部１４の上縁の最低位部よりも下位となる高さに位置しているため、この案内部材１０から流出した水は必ず該受入部１３内に落下することになり、この水が壁状部１４の外に飛散したり流出したりすることが防止される。
【００２９】
その後、この水は、排出口１６からロータンク２内に流れ込み、次回の便器洗浄水として貯留される。
【００３０】
なお、本発明においては、手洗鉢４が上昇限まで移動してもなお案内部材１０の下端が水受け部材１２の凹部１５内に位置するよう構成してもよい。このように構成することにより、手洗鉢４が上昇限に位置した状態でフラッシュ動作しても、案内部材１０から流出した水が必ず凹部１５内に落下するようになり、この水の周囲への飛散や流出を確実に防止することができる。
【００３１】
上記の実施の形態は本発明の一例を示すものであり、本発明は上記の実施の形態に限定されるものではない。
【００３２】
例えば、上記の実施の形態では、ロータンクカバー３のうちカバー前半体３Ｆと手洗鉢４のみが昇降するよう構成されているが、第５図のロータンクカバー３Ａのように、カバー全体が昇降するよう構成してもよい。なお、第５図（ａ）はこのカバー３Ａの非上昇時を示し、第５図（ｂ）はカバー３Ａの上昇時を示している。第５図の手洗付ロータンク設備のその他の構成は第１〜４図の手洗付ロータンク設備と同様となっている。
【００３３】
上記実施の形態では、案内部材からの水の受入部は、平坦な底部と、それを取り囲む壁上部とを有した箱状のものとなっているが、受入部の形状はこれに限定されるものではない。受入部は、例えば、漏斗状のものであってもよい。
【図面の簡単な説明】
【００３４】
【図１】実施の形態に係る手洗付ロータンク設備の側面図である。
【図２】図１の手洗付ロータンク設備の手洗鉢付近の縦断面図である。
【図３】図２のIII−III線に沿う断面図である。
【図４】図２のIV−IV線に沿う断面図である。
【図５】別の実施の形態に係る手洗付ロータンク設備の側面図である。
【符号の説明】
【００３５】
１  洋風便器
２  ロータンク
３，３Ａ  ロータンクカバー
３Ｆ  カバー前半体
３Ｒ  カバー後半体
４  手洗鉢
７  手洗吐水管
８  給水管
９  流出口
１０  案内部材
１２  水受け部材
１３  受入部
１４  壁状部
１５  凹部
１６  排出口
【図１】
2006169840.tif 000003
【図２】
2006169840.tif 000004
【図３】
2006169840.tif 000005
【図４】
2006169840.tif 000006
【図５】
2006169840.tif 000007